(57)【要約】【課題】  １つの基体に印刷配線基板とスライドスイッチとを共存させた場合には、印刷配線基板とスライドスイッチとを電気的に接続するためにコネクターを利用し、あるいは、印刷配線基板とスライドスイッチの固定接点とをリード線を使用して接続することとなるので、部品が増加すると共に、コネクタどうしを接続する、あるいは、リード線を半田付けする等の作業手間が掛りコストの上昇を招くといった問題があった。【解決手段】  スライドスイッチの可動接点部材２４を収容する収容部２１ｂが形成され、さらに、印刷配線基板２２が装着された基体１であって、前記印刷配線基板に取付けられた固定接点板２２ｃを前記収容部の前記可動接点部材の可動接点２４ｂと摺動する位置に臨ませたスライドスイッチの固定接点構造である。【選択図】        図３
2005183305.tif 000002
【特許請求の範囲】
【請求項１】
スライドスイッチの可動接点部材を収容する収容部が形成され、さらに、印刷配線基板が装着された基体であって、前記印刷配線基板に取付けられた固定接点板を前記収容部の前記可動接点部材の可動接点と摺動する位置に臨ませたことを特徴とするスライドスイッチの固定接点構造。
【請求項２】
前記固定接点板は、印刷配線基板の導電パターンに半田付け等によって固定される固定部と、該固定部から起立し可動接点部材が収納される収容部の開口部に臨む接触部と、該接触部から折曲され前記開口部に係合される係合部とから形成されていることを特徴とする請求項１記載のスライドスイッチの固定接点構造。
【請求項３】
前記基体の裏面側には、該基体に装備されたランプ等の負荷に接続されるバスバーが配線されていることを特徴とする請求項１記載のスライドスイッチの固定接点構造。
【請求項４】
前記固定接点板は、前記収容部の内壁面と面一に形成され、前記可動接点部材の摺動時に前記可動接点との摺動がスムーズに行なえるようにしたことを特徴とする請求項１記載のスライドスイッチの固定接点構造。
【発明の詳細な説明】
【技術分野】
【０００１】
本発明は、例えば、車両用室内灯におけるランプの点滅を制御するためのスライドスイッチであって、スポットライト（発光ダイオード）を実装した印刷配線基板に半田付け固定した部材を、前記スライドスイッチの固定接点として利用するようにしたスライドスイッチの固定接点構造に関する。
【背景技術】
【０００２】
従来の車両用室内灯におけるランプの点灯・点滅制御するためのスライドスイッチとしては、例えば、特開２００１−１８０３７２に開示されている発明がある。この発明はランプを収容する基体の裏面側にバスバーを取付け配線し、前記基体に形成されたスライドスイッチの可動接点部材が収容される収容部に、前記バスバーの一部を折り曲げて前記内壁面に沿わせるように配置して固定接点としたものである。そして、前記スライドスイッチをオンにすることで前記ランプと電源とをバスバーによって接続することで点灯させるものである。
【特許文献１】特開２００１−１８０３７２
【発明の開示】
【発明が解決しようとする課題】
【０００３】
ところで、近年、前記した基体内にカップホルダー等の部分的な個所を照明するための発光ダイオードを装備したものが開発されている。この発光ダイオードを前記基体内に装備するためには、発光ダイオードを印刷配線基板に半田付けすると共に該印刷配線基板を基体内に装着することとなる。
【０００４】
このように、１つの基体に印刷配線基板とスライドスイッチとを共存させた場合には、印刷配線基板とスライドスイッチとを電気的に接続するためにコネクターを利用し、あるいは、印刷配線基板とスライドスイッチの固定接点とをリード線を使用して接続することとなるので、部品が増加すると共に、コネクタどうしを接続する、あるいは、リード線を半田付けする等の作業手間が掛りコストの上昇を招くといった問題があった。
【０００５】
本発明は前記した問題点を解決せんとするもので、その目的とするところは、印刷配線基板の導電パターンに取付けられた導体を、スライドスイッチの固定端子として利用することで、スライドスイッチとコネクター等を介さずに印刷配線基板の導体パターンとを電気的に接続することが可能となり、従って、印刷配線基板とスライドスイッチとの接続が簡単に行なえ作業性の向上が図れるスライドスイッチの固定接点構造を提供せんとするものである。
【課題を解決するための手段】
【０００６】
本発明のスライドスイッチの固定接点構造は前記した目的を達成せんとするもので、請求項１の手段は、スライドスイッチの可動接点部材を収容する収容部が形成され、さらに、印刷配線基板が装着された基体であって、前記印刷配線基板に取付けられた固定接点板を前記収容部の前記可動接点部材の可動接点と摺動する位置に臨ませたものである。
【０００７】
請求項２の手段は前記した請求項１の手段において、前記固定接点板は、印刷配線基板の導電パターンに半田付け等によって固定される固定部と、該固定部から起立し可動接点部材が収納される収容部の開口部に臨む接触部と、該接触部から折曲され前記開口部に係合される係合部とから形成されていることを特徴とする。
【０００８】
請求項３の手段は前記した請求項１の手段において、前記固定接点板は、前記収容部の内壁面と面一に形成され、前記可動接点部材の摺動時に前記可動接点との摺動がスムーズに行なえるようにしたことを特徴とする。
【発明の効果】
【０００９】
本発明は前記したように、スライドスイッチの可動接点部材を収容する収容部が形成され、さらに、印刷配線基板が装着された基体であって、前記印刷配線基板に取付けられた固定接点板を前記収容部の前記可動接点部材の可動接点と摺動する位置に臨ませたので、スライドスイッチとの接続が簡単に行なえ作業性の向上が図れるものである。
【００１０】
また、固定接点板は印刷配線基板に半田付け等によって固定されると共に一部が収容部を構成する壁面に係合部によって固定されるので、固定接点板は収容部に対して確実に固定され、従って、印刷配線基板は収容部が形成されている基体に対して確実に保持されるものである。
【００１１】
さらに、基体の裏面側に、該基体に装備されたランプ等の負荷に接続されるバスバーを配線したことにより、車両用照明灯等のようにバスバーのみによってランプ等の負荷を点滅させる手段と発光ダイオードのような負荷が配線された印刷配線基板とを簡単に接続することが可能となるものである。
【００１２】
さらに、固定接点板は収容部の内壁面に対して面一となるように形成されているので、可動接点部材の可動接点が収容部の内壁面に対してスムーズに摺動される等の効果を有するものである。
【発明を実施するための最良の形態】
【００１３】
本発明は、スライドスイッチの可動接点部材を収容する収容部が形成され、さらに、印刷配線基板が装着された基体であって、前記印刷配線基板に取付けられた固定接点板を前記収容部の前記可動接点部材の可動接点と摺動する位置に臨ませたものである。
【実施例１】
【００１４】
以下、本発明に係るスライドスイッチの固定接点構造を車両用室内灯に応用した場合の実施例を図面と共に説明する。
図１は車両用室内灯の全体を示す斜視図にして、１は射出成形等によって形成したボックス状の基体にして、長手方向に沿って３つの部屋に分割されている。また、左右の部屋にはそれぞれランプおよびプッシュスイッチが収容されており、かつ、基体の中央側において片持ち状態でレンズ板１ａが揺動自在に軸支されている。
【００１５】
そして、前記レンズ板１ａの軸支点とは反対側のレンズ板自体を押すことで前記プッシュスイッチがオン状態となって前記ランプが点灯し、かつ、再度、レンズ板１ａを押してプッシュスイッチを操作すると消灯する構造となっている。このような構造の車両用室内灯は公知であり、例えば、本発明の出願人が出願した特開平１１−１６１９４４号に開示されている。また、基体の背面側には前記ランプとプッシュスイッチとを接続する図示しないバスバーが取付けられている。
【００１６】
２は前記した基体１の中央の部屋に収容される操作ボックスにして、図２に示す構造になっている。操作ボックス２は前面板２１と、該前面板２１内にネジ止め等の手段で取付けられる印刷配線基板２２と、前記前面板２１に背面から爪２３ａを前面板２１の孔２１ａに係合することで一体化される背面板２３と、前記前面板２１に形成された収納部２１ｂに図において左右方向に移動可能に収容され、摘み部２４ａが前記前面板２１の長孔２１ｃから突出した可動接点部材２４とから構成されている。
【００１７】
また、前面板２１における前記収納部２１ｂを形成する隔壁２１ｄには６個の切欠を構成する起立片２１ｄ1 が形成され、かつ、各起立片２１ｄ1 の頂部には段部に形成されている。また、前面板２１には後述する発光ダイオード２２ｄよりの光を透過するための透光窓２１ｅが形成され、かつ、該透光窓２１ｄを囲むように前面板２１の裏面側に遮光突条２１ｆが形成されている（図１１，１２を参照）。なお、２１ｇは携帯電話をハンドフリーな状態で使用する時のマイクを取付けた場合に音声を通過させるための集音用孔である。
【００１８】
前記した前面板２１の収容部２１ｂ内に摺動自在に収容される可動接点部材２４は、前面板２１の長孔２１ｃ内に先端が突出して収容され、また、２つの可動接点２４ｂがスプリング２４ｃによって前記隔壁２１ｄ側に向かってバネ付勢され、かつ、２つのそれぞれの可動接点２４ｂには後述する固定接点板２２ｃの２つを短絡するようになっている。
【００１９】
印刷配線基板２２には、マイク２２ａと、また、前記バスバーや電源とをコネクターと接続するためのコネクターボックス２２ｂ内に導出されるコネクター端子２２ｂと、前記前面板２１の前記隔壁２１ｄにおける起立片２１ｄ1 に嵌め込まれる固定接点板２２ｃおよびスポット照明するための発光ダイオード２２ｄが半田付けされている。
【００２０】
前記した固定接点板２２ｃは図４、図５に示すように、印刷配線基板２２の導電パターンに接続される固定部２２ｃ1 と、該固定部２２ｃ1 から起立された接触部２２ｃ2 および切り込み２２ｃ3 を有する係合部２２ｃ4 とから構成されており、全体の側面形状は略コの字状に形成されている。
【００２１】
次に、固定接点板２２ｃを収容部２１ｂの隔壁２１ｄに嵌め込む状態について説明するに、固定接点板２２ｃは印刷配線基板２２に半田付け固定されているので、印刷配線基板２２を前面板２１に挿入固定するにあたって係合部２２ｃ4 を起立片２１ｄ1 に形成された切欠に差し込むと、固定接点板２２ｃの切り込み２２ｃ3 が起立片２１ｄ1 にガイドされて下降し、かつ、最終位置において起立片２１ｄ1 に形成された段部２１ｄ2 に係合部２２ｃ4 が当接して固定される。この状態において、印刷配線基板２２を前面板２１にネジ止め等の手段によってさらに固定することで、固定接点板２３ｃは隔壁２１ｄにガタなく固定される。
【００２２】
そして、この状態において接触部２２ｃ2 は隔壁２１ｄの面と面一状態となるので、収容部２１ｂに挿入される可動接点部材２４を摺動した際に、該可動接点部材２４の可動接点２４ｂがスムーズに移動することとなる。
【００２３】
なお、収容部２１ｂの隔壁２１ｄとは反対の壁面に形成された凹凸部２１ｈは、可動接点部材２４を摺動した時にクリック感を与えるためのものである。また、前面板２１に対して印刷配線基板２２を固定し、かつ、可動接点部材２４を収容部２１ｂ内に挿入すると共に背面板２３を前面板２１に固定した操作ボックス２は、基体１に形成された孔１ｂに背面板２３に形成した爪２３ｂを係合することで一体化することができる。
【００２４】
また、実施例においては、印刷配線基板２２に３個の固定接点板２２ｃが分離されて一対配置され、かつ、可動接点部材２４に２個の可動接点２４ｃが分離されて一対設けられ、可動接点部材２４を摺動することで各対の固定接点２２ｂは２段階に切り換えられることとなる。そして、このスライドスイッチを３列の座席を有するワンボックスカー等の車両に装備すると図１１に示す回路となる。
【００２５】
すなわち、前記したスライドスイッチが組み込まれた前部座席部の車両用照明灯のプッシュスイッチＳ１，Ｓ２と、中間座席部に設けられた２つのランプが内蔵された車両用照明灯のプッシュスイッチＳ３，Ｓ４および後部座席部に設けられた１つのランプが内蔵された車両用照明灯のスイッチＳ５は図１２に示すように接続することで、前部座席部のスライドスイッチをスライドすることで中間および後部のランプの点滅を制御することが可能となる。なお、Ｌ１〜Ｌ５はランプであり、Ｓ６は車両のドアを開放するとオン状態となるドアスイッチである。
【００２６】
以下、この制御が行なわれる動作について説明するに、各スイッチＳ１〜Ｓ５における可動接点が図示の固定接点側に切り換えられている場合に、スライドスイッチの可動接点２４ｂが固定接点板２２ｃのドア接点と接続されていると、ドアが開放されてＤＯＯＲスイッチＳ６がオンすると各スイッチＳ１〜Ｓ５は、該ＤＯＯＲスイッチＳ６を介してアースに接続されるので、各スイッチＳ１〜Ｓ５に接続されている全てのランプＬ１〜Ｌ５は点灯され、また、ドアが閉じられていてＤＯＯＲスイッチＳ６が開放されている場合には、全てのランプＬ１〜Ｌ５は消灯状態となる。
【００２７】
また、前記スイッチＳ１〜Ｓ５が図示の状態においてスライドスイッチの可動接点２４ｂを固定接点板２２ｃのＯＮ側に切り換えると、ＤＯＯＲスイッチＳ６にオン・オフに関係なくアースに接続されるので、運転席に配置された照明灯のスライドスイッチ制御によって全てのランプＬ１〜Ｌ５を点灯状態とすることができる。
【００２８】
さらに、各スイッチＳ１〜Ｓ５を図示した接続状態から逆の方向に切り換えると、各固定接点はアースに接続されているので、各席において自由にランプの点灯を行なうことができるものである。
【００２９】
前記した印刷配線基板２２に半田付けされる発光ダイオード２２ｄは、半田付けする前に印刷配線基板２２にホルダー２５を固定した後に、発光ダイオード２２ｄを該ホルダー２５内に挿入して発光ダイオード２２ｄのリード線２２ｄ1 を印刷配線基板２２にスルーホールに差し込んで半田付けする構造となっている。
【００３０】
前記ホルダー２５は樹脂によって角筒状に形成され、下部の対角線上には印刷配線基板２２に形成された孔に位置決めされる脚２５ａが形成されており、内部にはリード線２２ｄ1 を挿通するための孔が形成された発光ダイオード２２ｄの下面を支持するための支持台部２５ｂが形成され、さらに、該支持台部２５ｂより上方の各壁面には発光ダイオード２２ｄのガタを防止するための突条２５ｃが形成されている。また、突条２５ｃの上端はテーパー状の斜面２５ｃ1 が形成されており、ホルダー２５内に発光ダイオード２２ｄを挿入するときにスムーズにホルダー２５内に入り込むようになっている。
【００３１】
そして、ホルダー２５の上端開口部は前記した前面板２１の裏面に形成された遮光突条２１ｆ内に臨むように配置されている。従って、発光ダイオード２２ｄに通電され点灯すると、発光ダイオード２２ｄより放射される光は前面板２１に形成された透光窓２１ｄに向かって照射されるので、該透光窓２１ｄよりの光によって車内に設置されたカップホルダー等をスポット照明する。
【００３２】
また、発光ダイオード２２ｄよりの光は広がりを持って放射されるが、発光ダイオード２２ｄはホルダー２５内に収容されているので、該ホルダー２５の開口部より外側に放射されることはなく、また、ホルダー２５の開口部は前記遮光突条２１ｆ内に臨んでいるので、ホルダー２５の開口部から漏れた発光ダイオード２２ｄよりの光は遮光突条２１ｆによって遮られ室内灯自体から外部に光が漏れることはない。
【産業上の利用可能性】
【００３３】
本発明の実施例では車両用照明灯の場合について説明したが、スライドスイッチと印刷配線基板とを電気的に接続して印刷配線基板の回路動作を制御するような機器に応用することができることは当然のことである。
【図面の簡単な説明】
【００３４】
【図１】本発明のスライドスイッチの固定接点構造を車両用照明灯に応用した場合の車両用照明灯の一部分解した斜視図である。
【図２】同上の組立状態の正面図である。
【図３】図１における操作ボックスの分解斜視図である。
【図４】スライドスイッチの要部を示す平面図である。
【図５】同上の断面図である。
【図６】スライドスイッチの可動接点部材の断面図である。
【図７】スライドスイッチの組立状態を示す平面図である。
【図８】同上の可動接点部材の移動状態を示し、（ａ）はオフ状態を示す平面図、（ｂ）はオン状態を示す平面図である。
【図９】発光ダイオードを印刷配線基板に固定した状態の平面図である。
【図１０】発光ダイオードを印刷配線基板に半田付けした状態の断面図である。
【図１１】図７のスライドスイッチによって他の照明灯を制御するための回路図である。
【符号の説明】
【００３５】
１          基体
２          操作ボックス
２１        前面板
２２        印刷配線基板
２２ｃ      固定接点板
２２ｃ1     固定部
２２ｃ2     接触部
２２ｃ4     係合部
２４        可動接点部材
２４ｂ      可動接点
【図１】
2005183305.tif 000003
【図２】
2005183305.tif 000004
【図３】
2005183305.tif 000005
【図４】
2005183305.tif 000006
【図５】
2005183305.tif 000007
【図６】
2005183305.tif 000008
【図７】
2005183305.tif 000009
【図８】
2005183305.tif 000010
【図９】
2005183305.tif 000011
【図１０】
2005183305.tif 000012
【図１１】
2005183305.tif 000013